(57)【要約】【課題】温浴施設内の、より一層のバリアフリー化を図る。【解決手段】玄関１０を備える下足場としての多目的スペース１ａと、脱衣箱２３を備える脱衣場１ｂと、浴槽３１，３２，３３を備える浴場１ｃとを、順に並べて往来可能に配置してなる温浴施設１において、多目的スペース１ａの床面および脱衣場１ｂの床面を、玄関１０から脱衣場１ｂと浴場１ｃを連通させる出入口２５，２５’に亘って下り勾配で傾床させる。これによれば、玄関１０から浴場１ｃに至るまでに徐々に床面レベルが下がっていくこととなる。よって、浴場１ｃと脱衣場１ｂの境界部分にて段差を設けることなく、浴場１ｃの床面を、玄関１０よりも所定のレベル（例えば約５０ｃｍ）だけ低くなるように設置することができる。従って、玄関１０から浴場１ｃの出入口２５，２５’に至るまでの間、段差をなくすことを容易にでき、より一層のバリアフリー化を図ることができる。【選択図】        図４
2005240541.tif 000002
【特許請求の範囲】
【請求項１】
玄関を備える下足場と、脱衣箱を備える脱衣場と、浴槽を備える浴場とを、順に並べて往来可能に隣接配置してなる温浴施設において、
前記下足場および前記脱衣場の床面のうち、前記玄関から前記脱衣場と前記浴場を連通させる出入口に至るまでの経路上には、下り勾配で傾床するスロープ部が設けられており、
前記浴場は、該浴場の床面が地表面から下がった位置となるように配置されていることを特徴とする温浴施設。
【請求項２】
玄関を備える下足場と、脱衣箱を備える脱衣場と、浴槽を備える浴場とを、順に並べて往来可能に隣接配置してなる温浴施設において、
前記下足場の床面および前記脱衣場の床面を、前記玄関から前記脱衣場と前記浴場を連通させる出入口に亘って、連続した面一状態かつ下り勾配で傾床させ、
前記浴場を、該浴場の床面が地表面から下がった位置となるように配置したことを特徴とする温浴施設。
【請求項３】
前記浴場の床面が地表面から２５ｃｍ〜７５ｃｍだけ下がった位置となるように、前記浴場を配置したことを特徴とする請求項１又は２に記載の温浴施設。
【請求項４】
前記浴槽内には、人工温泉装置が配置されており、
前記人工温泉装置は、
前記浴槽内に浸漬するように配置され、金網で形成された籠部材と、
前記籠部材内に配置され、遠赤外線を放射する機能を有した鉱石と、
前記浴槽内からお湯を噴出させる噴出手段と、
から構成されていることを特徴とする請求項１乃至３のいずれか１つに記載の温浴施設。
【請求項５】
前記人工温泉装置には、前記噴出手段の噴出口に対向して配置され、前記噴出口から噴出したお湯が衝突する衝突部材が備えられており、
前記籠部材、前記噴出手段及び前記衝突部材は、前記衝突部材に衝突したお湯が前記鉱石に向けて落下するように配置されていることを特徴とする請求項４に記載の温浴施設。
【発明の詳細な説明】
【技術分野】
【０００１】
本発明は、下足場、脱衣場および浴場が設けられた温浴施設(いわゆる銭湯)に関するものである。
【背景技術】
【０００２】
従来の温浴施設には、玄関を備える下足場と、脱衣箱を備える脱衣場と、浴槽を備える浴場とが設けられており、これらの下足場、脱衣場および浴場は、順に並べて往来可能に隣接配置されている（特許文献１参照）。
【０００３】
【特許文献１】特開２００１−１８２３４７号公報
【発明の開示】
【発明が解決しようとする課題】
【０００４】
ここで、特許文献１には特に記載されていないが、従来の一般的な温浴施設内には、玄関から下足場、脱衣場、浴場に至るまでの各場所に多くの段差が設けられている。そのため、体の不自由な方、お年寄り、子供等の施設利用者が段差で転倒する危険性があり、加えて入浴についての労力負担が大きい。さらに、温浴施設を運営するにあたり、温水が所定温度以下に冷めないように保温するためのエネルギーコストが高いといった問題もある。
【０００５】
本発明は、上記点に鑑み、利用者の危険性が少なく、入浴についての労力負担が小さく、さらには、温水保温のためのエネルギーコストを低減することができる温浴施設を提供することを目的とする。
【課題を解決するための手段】
【０００６】
上記目的を達成するため、請求項１に記載の発明では、
玄関を備える下足場と、脱衣箱を備える脱衣場と、浴槽を備える浴場とを、順に並べて往来可能に隣接配置してなる温浴施設において、
前記下足場および前記脱衣場の床面のうち、前記玄関から前記脱衣場と前記浴場を連通させる出入口に至るまでの経路上には、下り勾配で傾床するスロープ部が設けられており、
前記浴場は、該浴場の床面が地表面から下がった位置となるように配置されていることを特徴とする。
なお、請求項１に記載の発明においては、スロープ部は一箇所に設けてもよいし、図６に例示される如く、複数箇所にスロープ部を設けるようにしてもよい。また、図７に例示される如く、スロープ部を床面の全体に亘って延びるように設けてもよい。
【０００７】
また、請求項２に記載の発明では、
玄関を備える下足場と、脱衣箱を備える脱衣場と、浴槽を備える浴場とを、順に並べて往来可能に隣接配置してなる温浴施設において、
前記下足場の床面および前記脱衣場の床面を、前記玄関から前記脱衣場と前記浴場を連通させる出入口に亘って、連続した面一状態かつ下り勾配で傾床させ、
前記浴場を、該浴場の床面が地表面から下がった位置となるように配置したことを特徴とする。
なお、請求項１および２にて記載された「…下足場と…脱衣場と…浴場とを、順に並べて」とは、下足場と脱衣場と浴場とを直線状に並べて配置する場合に限られるものではなく、例えば、Ｌ字状に並べて配置してもよいし、Ｕ字状に並べて配置してもよい。ただし、温浴施設を建築施行するにあたり、その施行作業性を考慮すると、下足場と脱衣場と浴場とを直線状に並べて配置することが望ましい。
【０００８】
請求項３に記載の発明では、
前記浴場の床面が地表面から２５ｃｍ〜７５ｃｍだけ下がった位置となるように、前記浴場を配置したことを特徴とする。
【０００９】
請求項４に記載の発明では、前記浴槽内には、人工温泉装置が配置されており、
前記人工温泉装置は、
前記浴槽内に浸漬するように配置され、金網で形成された籠部材と、
前記籠部材内に配置され、遠赤外線を放射する機能を有した鉱石と、
前記浴槽内からお湯を噴出させる噴出手段と、
から構成されていることを特徴とする。
なお、上記「鉱石」には麦飯石を採用して好適である。
【００１０】
また、請求項５に記載の発明では、前記人工温泉装置には、前記噴出手段の噴出口に対向して配置され、前記噴出口から噴出したお湯が衝突する衝突部材が備えられており、前記籠部材、前記噴出手段及び前記衝突部材は、前記衝突部材に衝突したお湯が前記鉱石に向けて落下するように配置されていることを特徴とする。
【発明の効果】
【００１１】
請求項１に記載の発明によれば、下足場および脱衣場の床面のうち、玄関から脱衣場と浴場を連通させる出入口に至るまでの経路上に、下り勾配で傾床するスロープ部が設けられているので、体の不自由な方、お年寄り、子供等の施設利用者が段差で転倒する危険性を低減することに加え、入浴についての労力負担を軽減できる。さらに、浴場を、該浴場の床面が地表面から下がった位置となるように配置しているので、浴槽内の温水を冷め難くできるとともに、浴場内の空気温度を下がり難くでき、ひいては、温水保温のためのエネルギーコストを低減できる。
【００１２】
請求項２に記載の発明によれば、玄関から浴場の出入口に至るまでの床面を連続した面一状態にしているので、体の不自由な方、お年寄り、子供等の施設利用者が段差で転倒する危険性を低減することに加え、入浴についての労力負担を軽減できる。さらに、浴場を、該浴場の床面が地表面から下がった位置となるように配置しているので、浴槽内の温水を冷め難くできるとともに、浴場内の空気温度を下がり難くでき、ひいては、温水保温のためのエネルギーコストを低減できる。
しかも、請求項２に記載の発明によれば、下足場の床面および脱衣場の床面を、玄関から浴場の出入口に亘って下り勾配で傾床させているので、施設内に段差を設けることなく、浴場を、該浴場の床面が地表面から下がった位置となるように配置することを容易に実現できる。
【００１３】
ここで、請求項１に記載のスロープ部の傾斜、或いは、請求項１に記載の下足場の床面および脱衣場の床面の傾斜は、０．８３％〜２．５０％の範囲の傾斜に設定することが望ましく、より望ましくは１．３３％〜２．００％の範囲である。すなわち、傾斜が大きすぎると、たとえ段差がなかったとしても施設利用者の労力低減を十分に図ることはできない。一方、傾斜が小さすぎると、浴場の床面レベルを十分に低くすることができなくなってしまう。なお、傾斜を示す単位「％」は、傾斜の水平距離１ｍに対する垂直距離の割合を示すものであり、例えば１％の傾斜であれば、水平距離１ｍあたり１ｃｍの落差が生じる傾斜ということになる。
【００１４】
請求項３に記載の発明によれば、浴場の床面位置が適度な高さとなる。すなわち、浴場の床面位置が低すぎると、下足場および脱衣場の床面の傾斜が大きい勾配となってしまう。一方、浴場の床面位置が高すぎると、温水を冷め難くする効果が十分に得られなくなってしまう。
【００１５】
請求項４に記載の発明によれば、鉱石から放射される遠赤外線により、浴槽内のお湯の保温効果を向上させることができる。しかも、その鉱石は浴槽内に浸漬しているので、鉱石の成分が浴槽内に十分に抽出されることとなり、該成分による様々な効能が十分に発揮される。効能の一例として、疲労回復、しもやけ、ひび、あせも、冷房病、神経痛等が挙げられる。
また、請求項５に記載の発明によれば、噴出手段から噴出されるお湯が鉱石に向けて落下するので、鉱石周囲のお湯を攪拌させる作用が奏され、鉱石の成分が浴槽内に抽出されることをより一層促進できる。
【発明を実施するための最良の形態】
【００１６】
（第１実施形態）  
以下、図１〜図５を参照して、本発明の好適な第１実施形態について説明する。
【００１７】
図１に示すように温浴施設１は、夫々１５０坪の広さを有する八角形の建築物２棟の、一辺を接合した３００坪からなる建築物で、まず玄関１０から入場することができ、入浴するための券を購入する券売機等が配置された多目的スペース１ａと、多目的スペース１ａの男性用脱衣場入り口２２、女性用脱衣場入り口２２’（以下女性用の設備は、男性用の設備の図面番号に’を付加して表記する。）夫々から入ることができる脱衣場１ｂと、脱衣場１ｂの男湯入り口２５、女湯入り口２５’夫々から入ることができる浴場１ｃから構成され、温浴施設１の周囲、特に浴場１ｃの周囲には庭園１ｄが設けられ、入浴しながらにして日本庭園の景色を楽しむことができる。なお、上記多目的スペース１ａは、特許請求の範囲に記載の「下足場」に相当し、上記男湯入り口２５および女湯入り口２５’は、特許請求の範囲に記載の「脱衣場と浴場を連通させる出入口」に相当する。
【００１８】
多目的スペース１ａは１５０坪の広さを有し、玄関１０、下足箱１２、カウンター１３、自動券売機１４、図中の一点鎖線に示すレストラン１５、調理場１６、図中の一点鎖線に示すゲームセンター１７、図中の一点鎖線に示す物品販売所１８、図中の一点鎖線に示す休憩所１９、マッサージルーム２０等を備えており、入浴するための入浴券を購入することができる。又、食事をはじめとする入浴前／入浴後の利用者がくつろぐことのできるサービスを提供可能な施設となっている。
【００１９】
多目的スペース１ａから入ることのできる脱衣所１ｂは５０坪の広さを有し、男性用脱衣所入り口２２と通じる２５坪の広さからなる男性用脱衣所と、女性用脱衣所入り口２２’と通じる２５坪の広さからなる女性用脱衣所とに分かれ、夫々壁によって仕切られている。脱衣所１ｂには複数の脱衣箱２３，２３’、休憩用のテーブル２４，２４’等が設けられている。
【００２０】
脱衣場１ｂから入ることのできる浴場１ｃは、男湯入り口２５から通じる男湯と、女湯入り口２５’から通じる女湯とに分かれ、浴場１ｃ内は壁２５ａによって男湯と女湯に仕切られている。壁２５ａはアクリル板で形成されているため、コンクリート製の壁を採用した場合に比べて、壁２５ａの厚みを小さくすることができる。これにより、浴場内１ｃの限られたスペースを有効に利用できる。
浴場１ｃには流し場２６，２６’、冷水２７，２７’、低温サウナ２９，２９’、高温サウナ３０，３０’、中浴槽３１，３１’、冷浴槽３２，３２’、大浴槽３３，３３’が設けられている。浴場１ｃの外側の壁沿いには夫々洗い場３４，３４’が複数個設けられている。ここで、男湯の大浴槽３３と女湯の大浴槽３３’とは隣接して配置されているので、各大浴槽３３，３３’内のお湯の保温効果を高めることができ、エネルギー効率を向上できる。
また、浴場１ｃの出入口３５，３５’を通じて、浴場１ｃの外に設けられた露天風呂３６，３６’に行くことができる。このとき図２に示すように、流し場２６，２６’、冷水２７，２７’、中浴槽３１，３１’、冷浴槽３２，３２’、大浴槽３３，３３’の浴槽の縁２６ａ，２６ａ’，２７ａ，２７ａ’，３１ａ，３１ａ’，３２ａ，３２ａ’，３３ａ，３３ａ’は角を取り除いた丸型に成形してあり、万一利用者が転倒することなどによって、浴槽の縁２６ａ，２６ａ’，２７ａ，２７ａ’，３１ａ，３１ａ’，３２ａ，３２ａ’，３３ａ，３３ａ’に衝突した場合等であっても利用者の負傷を防ぎ、浴場１ｃ内の安全性を高めている。浴場１ｃに供給される温水は、ミネラル成分を有する温泉であり、温浴施設１内に図示しないミネラル温泉水の製造機を設けている。また、温浴施設１は図示しないボイラー施設を備えており、浴場１ｃに供給する温水の加熱、保温を行っている。
【００２１】
図１のＦ−Ｆ断面を示す図３によれば、温浴施設１内に設けられた脱衣場１ｂ及び浴場１ｃを囲む壁体３８は、壁体３８を設置した接地面であるＨ−Ｈから、上方にある天井Ｉ−Ｉへと向かうにつれて、壁体３８が温浴施設１の外側に傾くように設けられている。このため、八角形の建築物は天井方向に向かって外側に傾斜した８つの壁体に囲まれ、その内部は擂鉢形状に形成されることとなる。従って八角形の建築物は天井方向に向かうにつれて空間が拡大する。このため、天井方向に向かうに従って温浴施設１内部の空間が拡大することとなり、従来の垂直方向に真っ直ぐ設けられた壁体で囲むことで構成された室内に比べて開放感が増し、利用者は開放的な雰囲気の中、ゆったりと快適に入浴を楽しむことができる構成となっている。
多目的スペース１ａを囲む壁体３９（図１参照）については、脱衣場１ｂ及び浴場１ｃを囲む壁体３８と同様に傾斜した構造にしてもよいし、傾斜しない構造にしてもよい。
【００２２】
また、浴場１ｃを囲んでいる壁体３８は、水平面Ｈ−Ｈから所定の高さ（例えば７０ｃｍ〜１２０ｃｍまでの高さ）までは可視性のある透明強化ガラス４０によって構成され、透明強化ガラス４０より上の部分については不可視性の強化金網入水色ガラス４１にて構成されている。このため利用者は、透明強化ガラス４０を通じ、入浴しながらにして浴場１ｃの外側に広がる庭園１ｄの景色を楽しむことができる。このとき、強化金網入水色ガラス４１によって光を遮っているため、浴場１ｃ内は適当な明るさで保たれる。因みに、図１および図３中の符号４１ａは、水平方向に隣り合うガラス４０，４１どうしを連結させる鋼材を示すものであるが、本発明の実施にあたり、該鋼材４１ａを廃止して、水平方向に隣り合うガラス４０，４１どうしを接着剤にて接着するようにしてもよいし、或いは、前記鋼材４１ａを廃止してガラス４０，４１を曲げ加工して形成してもよい。
【００２３】
なお、庭園１ｄの外側には庭園１ｄの全周を囲うように壁が設けられているため、庭園１ｄの外側から温浴施設１内部を覗き見ることはできない構成となっている。また、、脱衣場１ｂを囲む壁体３８及び多目的スペース１ａを囲む壁体３９は不可視性の材質で構成されたものであることが好ましいが、浴場１ｃと同様に透明強化ガラス４０及び強化金網入水色ガラス４１にて構成された壁体３９としても良い。
【００２４】
図４に示した温浴施設１のＥ−Ｅ断面によれば、温浴施設１の床面は面一状態に設けられ、多目的スペース１ａの玄関１０から脱衣場１ｂにかけて連続した勾配がつけられており、緩やかに傾床している。本来、段差として設ける部分を傾斜とすることにより、温浴施設１内部の段差、起伏を低減し、年配の利用者、子供の利用者であっても、温浴施設１を利用する際の安全性が増すこととなる。また、温浴施設１の最奥にある浴場１ｃに向かうに従って床が下るように傾床しており、相対的に天井が高くなる構成であるため、外壁の構造による開放感と併せて、利用者は温浴施設１の奥側へ行くほど開放感を感じることができ、快適に入浴することができるようになるという効果を発揮する。
【００２５】
また、床面が傾斜しているため、図３，４中の符号Ｈで示す地表に合わせ、該地表Ｈより下の部分を地下に設ける構成も挙げられる。このとき玄関１０の床面と温浴施設１の最奥に設けられた浴場１ｃの床面との間には５０ｃｍの高低差がある。すなわち浴場１ｃは地中に約５０ｃｍ埋められた状態となり、そのため保温性が高く、浴場１ｃ内の熱を逃がすことなく、適温を保つことができる効果を発揮する。しかも、各浴槽３１，３１’，３３，３３’の底面は地中に約１００ｃｍ埋められた状態となるため、各浴槽３１，３１’，３３，３３’内のお湯は保温されることとなり、熱効率を高めることができる。なお、各浴槽３１，３１’，３３，３３’は、その全体が浴場１ｃの床面より低い位置となるように配置されていてもよいし、各浴槽３１，３１’，３３，３３’の一部分のみが浴場１ｃの床面より低い位置となるように配置してもよい。
【００２６】
図４の脱衣場１ｂと浴場１ｃとの間には、僅かな段差５０が有るが、図５に示す変更形態の温浴施設１００によれば、脱衣場１０１ｂと浴場１０１ｃとの間をスロープ１５１として、温浴施設１００内部の床面の段差を無くす構成となっている。このため、車椅子、担架等、車輪を有するものが脱衣場１０１ｂと浴場１０１ｃの間を往来することが容易となり、年配の利用者や体の不自由な利用者であっても、車椅子で浴場１０１ｃ内部に直接運搬することによって、浴場１０１ｃまで向かう労力を軽減し、入浴を補助することが可能となる。また、浴場１０１ｃ内で体の不調を訴える利用者に対しても、浴室１０１ｃに担架を運び込むことが容易であるため、迅速に対応することが可能となり、温浴施設１００内部の安全性を向上させる効果を発揮する。
【００２７】
なお、本発明の実施にあたり、浴槽を、浴場１ｃの床面から掘り下げて設置するようにすれば、浴槽内の温水が冷め難くなり、さらには、浴槽の縁２６ａ，２６ａ’，２７ａ，２７ａ’，３１ａ，３１ａ’，３２ａ，３２ａ’，３３ａ，３３ａ’を低い位置にでき、浴槽に入る際の労力を軽減でき、好適である。
【００２８】
（第２実施形態）  
上記第１実施形態では、図４に示すように、下足場１２を有する多目的スペース１ａの床面および脱衣場１ｂの床面を、玄関１０から浴場入り口２５，２５’に亘って、連続した面一状態かつ下り勾配で傾床させているのに対し、本実施形態では、図６に示すように、下足場１２を有する多目的スペース１ａおよび脱衣場１ｂの床面のうち、玄関１０から浴場入り口２５，２５’に至るまでの経路上の複数箇所に、下り勾配で傾床するスロープ部（図６中の斜線に示される部分）６０を設けている。そして、多目的スペース１ａの床面は、スロープ部６０を境に符号Ｐ１，Ｐ２，Ｐ３、Ｐ４を付した部分に仕切られており、多目的スペース１ａの床面の各部分Ｐ１〜Ｐ４は水平に拡がる床面であるものの、各部分Ｐ１〜Ｐ４でレベルが異なるように形成されている。
【００２９】
スロープ部６０の傾斜は１００×（１／１２）％以下の傾斜であることが望ましく、本実施形態のスロープ部６０は約１００×（１／１５）％となるように設定されている。なお、本実施形態のその他の構造は上記第１実施形態と同様の構造であり、第１実施形態と同様の符号が付してある。
【００３０】
そして、本実施形態によっても第１実施形態と同様の効果を発揮できることに加え、本実施形態によれば、水平に拡がる床面の部分Ｐ１〜Ｐ４を有するので、ゲームセンター１７に設置される各種機械や自動券販売機１４等の各種設備を、水平な床面に設置できるので、好適である。また、床面の施工を容易にできる。
【００３１】
（第３実施形態）  
上記第２実施形態では、スロープ部６０が複数箇所に離散的に設けられているが、本実施形態では、図７に示す如く、スロープ部（図７中の斜線に示される部分）６１を、多目的スペース１ａの床面全体に亘って延びるように設けている。なお、多目的スペース１ａの床面は、スロープ部６１を境に符号Ｐ５，Ｐ６を付した部分に仕切られており、床面の各部分Ｐ５，Ｐ６は水平に拡がる床面となるように形成されている。
【００３２】
スロープ部６１の傾斜は、０．８３％〜２．５０％の範囲の傾斜に設定することが望ましく、より望ましくは１．３３％〜２．００％の範囲が望ましい。なお、本実施形態のその他の構造は上記第１実施形態と同様の構造であり、第１実施形態と同様の符号が付してある。
【００３３】
そして、本実施形態によっても第１実施形態と同様の効果を発揮できることに加え、本実施形態によれば、水平に拡がる床面の部分Ｐ５，Ｐ６を有するので、ゲームセンター１７に設置される各種機械や自動券販売機１４等の各種設備を、水平な床面に設置できるので、好適である。また、床面の施工を容易にできる。
【００３４】
（第４実施形態）  
本実施形態に係る温浴施設２０１は、浴場２０１ｃに人工温泉装置２７０を設けたことを特徴としている。図８は本実施形態に係る温浴施設２０１の平面図、図９は人工温泉装置２７０を模式的に示す図であり、図９（ａ）は正面図、（ｂ）は底面図である。なお、第１実施形態の構成要素に対応する本実施形態の構成要素の説明は、図中の符号を２００番台として説明を援用する。
【００３５】
本実施形態に係る人工温泉装置２７０は、浴槽の中（図８では大浴槽２３３の中）に設置されている。そして、大浴槽２３３の中に設置された人工温泉装置２７０には、大浴槽２３３の外に設置されている循環ポンプ（図示せず）と配管接続されており、循環ポンプが作動すると、大浴槽２３３内のお湯は、循環ポンプの吸入口に流入した後循環ポンプの吐出口から人工温泉装置２７０に向けて吐出され、人工温泉装置２７０から大浴槽２３３内に噴出することとなる。
因みに、図８では、脱衣場２０１ｂ及び浴場２０１ｃ内の設備レイアウトの詳細は、男性用の設備レイアウトのみ図示されており、女性用の設備レイアウトの図示は省略されているが、女性用の設備も男性用の設備と同じレイアウト構造である。また、本実施形態では、第１実施形態に係るゲームセンター１７、高温サウナ３０、露天風呂３６及び露天風呂３６への出入口３５を廃止している。また、本実施形態では、第１実施形態の中浴槽３１として、図８中の符号２３１に示す座バス、ジェットバス、電気風呂、かわり湯、寝風呂を採用している。また、第１実施形態の大浴槽３３として、図８中の符号２３３に示す粉末麦飯石風呂を採用している。粉末麦飯石風呂２３３とは、麦飯石を粉末状にしたものを浴槽内に溶解させた風呂のことであり、本実施形態では、このような粉末状の麦飯石に加え、小石程度の大きさの後述する麦飯石２７２を浴槽内に浸漬させている。
また、本実施形態では、男湯の大浴槽（粉末麦飯石風呂）２３３と女湯の大浴槽とを隣接配置することに加え、男湯の各中浴槽（座バス、ジェットバス、電気風呂、かわり湯、寝風呂）２３１と女湯の各中浴槽とを隣接配置し、さらには、男湯内にて大浴槽２３３と各中浴槽２３１を隣接配置しているので、各浴槽２３３，２３１内のお湯の保温効果をより一層高めることができ、エネルギー効率を向上できる。なお、図８中の一点鎖線は、壁体２３８，２３９の上部位置を示す線であり、前述した擂鉢形状により下部位置よりも広がった位置となっている。
【００３６】
次に、図９（ａ）（ｂ）を用いて人工温泉装置２７０を説明すると、該人工温泉装置２７０は、上下方向に延びる円筒状の籠部材２７１を備えている。籠部材２７１は金網で形成されており、籠部材２７１の中には鉱石としての麦飯石２７２が配置されている。「麦飯石」とは、極端に風化の進んだ花崗斑岩の一種であり、遠赤外線を放射する機能を有する石である。そして、籠部材２７１内部には、麦飯石２７２が配置されるスペースを上下方向に仕切る金網２７３と、水平方向に仕切る金網２７４とが備えられている。このように仕切られた各スペースには、麦飯石２７２が２０ｋｇずつ配置され、合計約２００ｋｇの麦飯石２７２が配置されている。なお、上記金網２７３，２７４は、耐酸化性に優れたステンレス製であることが望ましい。また、本実施形態では籠部材２７１の形状を円筒状としているが、円形ではなく角形にしてもよい。また、図９に示す例では、人工温泉装置２７０の高さ寸法は約８０ｃｍである。
籠部材２７１の上方にはドーム形状のドーム部材（衝突部材）２７５が備えられている。そして、該ドーム部材２７５は、籠部材２７１の中央部分に配置された噴出管（噴出手段）２７６の噴出口２７６ａに対向配置されており、噴出口２７６ａから噴き出されるお湯が、ドーム部材２７５の内面２７５ａに衝突するようになっている。なお、噴出管２７６の下端には、循環ポンプに接続された配管が接続されている。そして、ドーム部材２７５の内面２７５ａに衝突したお湯は、籠部材２７１内に配置された麦飯石２７２の直上に向けて落下することとなる。
以上により、本実施形態によれば、麦飯石２７２から放射される遠赤外線により、浴槽（本実施形態では大浴槽２３３）内のお湯の保温効果を向上させることができる。しかも、その麦飯石２７２は浴槽内に浸漬しているので、麦飯石２７２の成分が浴槽内に十分に抽出されることとなり、該成分による様々な効能が十分に発揮される。
また、噴出手段から噴出されるお湯が麦飯石２７２に向けて落下するので、麦飯石２７２周囲のお湯を攪拌させる作用が奏され、麦飯石２７２の成分が浴槽内に抽出されることをより一層促進できる。
【産業上の利用可能性】
【００３７】
本願発明を実施することによって、今までは温浴施設１を利用できなかった、或いは利用するのが困難であった年配の利用者、脚の不自由な利用者にとって、容易且つ安全に温浴施設１を利用することができるようになるため、温浴施設１の利用者の増加に寄与することとなる。
【図面の簡単な説明】
【００３８】
【図１】本発明の第１実施形態に係る温浴施設１の平面図である。
【図２】浴槽２６，２６’，２７，２７’，３１，３１’，３２，３２’，３３，３３’の断面図である。
【図３】温浴施設１のＦ−Ｆ断面図である。
【図４】温浴施設１のＥ−Ｅ断面図である。
【図５】変更形態の温浴施設１００のＥ−Ｅ断面図である。
【図６】本発明の第２実施形態に係る温浴施設１の平面図である。
【図７】本発明の第３実施形態に係る温浴施設１の平面図である。
【図８】本発明の第４実施形態に係る温浴施設２０１の平面図である。
【図９】第４実施形態の人工温泉装置２７０を模式的に示す図であり、（ａ）は正面図、（ｂ）は底面図である。
【符号の説明】
【００３９】
１…温浴施設、１ａ…多目的スペース、１ｂ…脱衣場、１ｃ…浴場、１０…玄関、１４…自動券販売機、２３…脱衣箱、２６…流し場、２７…冷水、２９…低温サウナ、３０…高温サウナ、３１…中浴槽、３２…冷浴槽、３３…大浴槽、３６…露天風呂、４０…透明強化ガラス、４１…強化金網入水色ガラス
【図１】
2005240541.tif 000003
【図２】
2005240541.tif 000004
【図３】
2005240541.tif 000005
【図４】
2005240541.tif 000006
【図５】
2005240541.tif 000007
【図６】
2005240541.tif 000008
【図７】
2005240541.tif 000009
【図８】
2005240541.tif 000010
【図９】
2005240541.tif 000011